(57)【要約】【課題】  ガスメータを一対の立管間に連接する場合に、作業性が良好で、一対のユニオン間での調整も容易に行うことができる固定補助用治具を得る。【解決手段】  支持対象物２が固定部３から離間し、支持対象物２の落下の可能性がある自由位置から、支持対象物２が固定部３に固定支持される固定位置へ移動させて支持対象物２を支持するための固定補助治具であって、支持対象物２を懸垂支持可能な支持部材５と、固定部３に固定される固定部材６とを備え、支持対象物２が支持部材５に懸垂支持された懸垂支持状態で、支持対象物２を自由位置から固定位置へ調整移動させる移動調整手段を支持部材５と固定部材６との間に設ける。【選択図】        図１
2007056950.tif 000002
【特許請求の範囲】
【請求項１】
支持対象物が固定部から離間し、前記支持対象物の落下の可能性がある自由位置から、前記支持対象物が固定部に固定支持される固定位置へ、前記支持対象物を移動させて前記支持対象物を支持するための固定補助治具であって、
前記支持対象物を懸垂支持可能な支持部材と、前記固定部に固定される固定部材とを備え、前記支持対象物が前記支持部材に懸垂支持された懸垂支持状態で、前記支持対象物を前記自由位置から前記固定位置へ調整移動させる移動調整手段を前記支持部材と前記固定部材との間に設けた固定補助治具。
【請求項２】
前記固定部材に対して前記支持部材を、前記支持対象物が前記固定位置を取る固定相対位置に付勢する付勢手段を備え、
前記支持対象物が前記支持部材に懸垂支持された状態で、前記支持対象物が前記自由位置を取る自由相対位置から、前記支持部材が前記付勢手段により前記固定相対位置に移動される請求項１記載の固定補助治具。
【請求項３】
前記支持部材が前記固定部材に対して取りうる前記自由相対位置と前記固定相対位置とに関して、前記支持部材を前記自由相対位置と前記固定相対位置との間で選択的に位置させる選択機構を備え、
前記選択機構により前記支持部材が前記自由相対位置を取る第１姿勢において、姿勢保持可能な請求項１又は２記載の固定補助治具。
【請求項４】
前記支持対象物が、流体が部材内に流入する流入口と、流体が外部に流出する流出口とを備え、
前記支持対象物と前記固定部とが前記流入口及び前記流出口に設けられた一対の接続手段により固定支持される請求項１〜３のいずれか一項記載の固定補助治具。
【請求項５】
前記固定部と前記固定部材との間に、両者間の相対位置関係を決定する位置決め手段を備える請求項１〜４のいずれか一項記載の固定補助治具。
【請求項６】
前記支持対象物がガスメータであり、前記固定部が、供給配管系統に備えられる供給側配管系統と排出側配管系統との間に亘って設けられる固定ブラケットである請求項１〜５のいずれか一項記載の固定補助治具。
【発明の詳細な説明】
【技術分野】
【０００１】
本発明は、支持対象物が固定部から離間し、前記支持対象物の落下の可能性がある自由位置から、前記支持対象物が固定部に固定支持される固定位置へ、前記支持対象物を移動させて前記支持対象物を支持するための固定補助治具に関する。
【背景技術】
【０００２】
以下、本願に係る固定補助治具を説明するに、各家庭にガスを供給するガス供給配管系統に備えられるガスメータを交換する場合を例に取って説明する。
図４は、供給配管系統１４にガスメータ２が連結された状態を示している。
供給配管系統１４について説明すると、この配管系統１４は、一次側立管１４ａに供給された都市ガスを、エルボ１４ｂ、管部材１４ｃ、ガスメータ２、管部材１４ｄ、エルボ１４ｅ、及び、二次側立管１４ｆの順に流通させて、家庭内のガス機器に供給するように構成されている。従って、ガスメータ２は、管部材１４ｃ及び１４ｄと連結される。
但し、この図４において、同図に示す突起３ｂを備えた位置決め治具３ａは、従来構造にはない、本願に係る固定補助治具を構成する要素部材であり、理解を容易とするために、当該図面に記載している。
【０００３】
この連結形態に関して説明すると、図５に示すように、前記管部材１４ｃ、１４ｄは、接続手段としてのユニオン１４０の短管として構成されており、ユニオン１４０がガスメータ２の位置保持、及びガス通路の形成の用に供される。ユニオン１４０は、管部材１４ｃ、１４ｄ側に取り付けられたユニオンナット１４１を、ガスメータ２のケーシング２ｃに一体に設けられた管部材２ｄ側に形成されたユニオンねじ２ｅに締結することで、管部材１４ｃ，１４ｄを連結する。
【発明の開示】
【発明が解決しようとする課題】
【０００４】
従来、ガスメータを設置するに際しては、ガスメータを片手で支持して、残りの手で所定の作業を行う必要があった（この手法を従来技術と称する）。さらに、両手をフリーとする目的から、図６に示すように、一次側立管及び二次側立管間に渡って設けられた固定ブラケット３を使用して、固定ブラケット３、ガスメータ２間を上下方向から挟持保持する固定補助用治具２００を使用することも考えられる（この手法を、考えられる技術と称する）。
【０００５】
前記従来技術では、狭い場所でのメータ取付け時、片手でガスメータを持ち上げて、ユニオンの清掃、ユニオンパッキン取付け・確認を実施しているため、作業者が自由な姿勢を取り難く、作業性が悪く、不測にガスメータを落下させたり作業ミスが発生する可能性があった。
【０００６】
前記考えられる技術では、両手がフリーとなるため作業者が両手を使え、作業性は良化するものの、メータを挟持保持するため、管部材、メータ間における位置決めが固定補助用治具における固定状態に支配され、一対のユニオンを使用した固定作業において、両ユニオン間での調整に関して改良の余地があった。
【０００７】
本発明は、上記の課題に鑑みてなされたものであり、その目的は、例えば、ガスメータを一対の立管間に連接する場合に、その作業性が良好で、一対のユニオン間での調整も適切なものとなる固定補助用治具を得ることにある。
【課題を解決するための手段】
【０００８】
上記目的を達成するための本発明に係る、支持対象物が固定部から離間し、前記支持対象物の落下の可能性がある自由位置から、前記支持対象物が固定部に固定支持される固定位置へ、前記支持対象物を移動させて前記支持対象物を支持するための固定補助治具の第１の特徴構成は、前記支持対象物を懸垂支持可能な支持部材と、前記固定部に固定される固定部材とを備え、前記支持対象物が前記支持部材に懸垂支持された懸垂支持状態で、前記支持対象物を前記自由位置から前記固定位置へ調整移動させる移動調整手段を前記支持部材と前記固定部材との間に設けたことにある。
【０００９】
この固定補助治具を使用する場合は、支持対象物を支持部材に懸垂支持する。一方、固定部材を固定部に固定する。支持部材と固定部材との間には、移動調整手段が設けられており、固定部材側から支持部材を懸垂支持した状態で、支持対象物がその自由位置から固定位置へ移動される。
従って、作業者は、固定保持治具を使用して、支持対象物を、その自由位置で位置保持、さらには、固定位置で位置保持しながら、作業を進めることができる。例えば、ガスメータの場合、自由位置では、ユニオンの清掃、パッキンの取付け等を行い、固定位置ではユニオンナットの締付けを行うのである。
そして、この固定補助治具では、懸垂状態で支持対象物を支持するため、支持対象物を支持部材から鉛直方向に支持することができ、固定作業にあっても、支持対象物を良好な姿勢に維持して作業を進めることができ、先に説明した調整も容易となる。
【００１０】
さて、上記の固定補助治具において、
前記固定部材に対して前記支持部材を、前記支持対象物が前記固定位置を取る固定相対位置に付勢する付勢手段を備え、
前記支持対象物が前記支持部材に懸垂支持された状態で、前記支持対象物が前記自由位置を取る自由相対位置から、前記支持部材が前記付勢手段により前記固定相対位置に移動されることが好ましい。
本願に係る固定補助治具では、移動調整手段を備え、固定部に対する支持対象物の位置決めを行う必要があるが、この調整移動は、固定補助治具では、支持部材と固定部材間の位置決めとなる。
そして、上記のような付勢部材を設けておくことにより、最終的に支持部材が固定部材に対して取るべき位置である、固定相対位置に固定部材から支持部材を付勢移動できる結果、この位置変更を容易に行うことができる。この構成が本願に係る第２の特徴構成である。
【００１１】
さて、先の構成の固定補助治具において、
前記支持部材が前記固定部材に対して取りうる前記自由相対位置と前記固定相対位置とに関して、前記支持部材を前記自由相対位置と前記固定相対位置との間で選択的に位置させる選択機構を備え、
前記選択機構により前記支持部材が前記自由相対位置を取る第１姿勢において、姿勢保持可能な構成とすることが好ましい。
【００１２】
この構成の固定補助治具にあっては、選択機構が第１姿勢を取る状態（この時、支持対象物は自由位置に位置される）で、姿勢保持される。ここで、姿勢保持とは、これら姿勢において姿勢が安定状態にあり、作業者等による操作等が加わらない限り、姿勢が変化しないことを意味する。従って、選択機構は、第１姿勢で安定し、この姿勢に対応する支持対象物の支持状態で、安定した状態で作業を行うことができる。
【００１３】
さて、支持対象物としては、これが、流体が部材内に流入する流入口と、流体が外部に流出する流出口とを備え、支持対象物と前記固定部とが前記流入口及び前記流出口に設けられた一対の接続手段により固定支持されるものであることが好ましい。
この種の支持対象物としては、例示的には、先に説明したガスメータ、さらには、内部にフィルターを備え、内部を通過する流体をフィルター処理する流体フィルター装置等を挙げることができる。
これら機器は、流体が流れる配管系統に設置されて使用されるが、比較的大型且つ大重量のものもある。さらに、対となる流入口及び流出口を備え、基本的に鉛直方向配置を基本とするものが多い。
そこで、懸垂状態で、支持対象物を支持した状態で、その自由位置から固定位置への位置移動を本願に係る固定補助治具を使用して行うことで、安全且つ容易に支持対象物の位置決め、固定を行える。
【００１４】
さて、これまで説明してきた構成において、
前記固定部と前記固定部材との間に、両者間の相対位置関係を決定する位置決め手段を備えておくと、固定部と固定部材間が先ず位置決めされるとともに、固定部材を介して、支持部材及び支持対象物を確実に位置決めできるため、鉛直方向に係る位置決めのみならず、それ以外の例えば水平方向に関しても容易且つ確実に位置決めできる。
【００１５】
さて、これまで説明してきた構成において、
前記支持対象物がガスメータであり、前記固定部が、供給配管系統に備えられる供給側配管系統と排出側配管系統との間に亘って設けられる固定ブラケットである構成としておくと、これまで、例えば狭い空間に配置するために、困難を伴ったガスメータの設置を、固定ブラケット及び本願に係る固定補助治具を使用して、容易、確実に行うことができる。
【発明を実施するための最良の形態】
【００１６】
以下、図面に基づいて本願に係る固定補助治具１の構成に関して先ず説明する。
【００１７】
図１は使用状態にある本願に係る固定補助治具１を示した図である。図は、ガスメータ２を固定補助治具１を使用して、固定ブラケット３に取付ける状態を示している。この図は、固定補助治具１の第１姿勢の状態を示しており、（イ）はその正面視図を、（ロ）は側面視図を示している。
ここで、ガスメータ２は本願にいう支持対象物にあたり、固定ブラケット３は固定部にあたる。
【００１８】
図２は、固定補助治具１の第２姿勢の状態を示しており、（イ）はその正面視図を、（ロ）は側面視図を示している。
【００１９】
図１からも判明するように、固定補助治具１は、支持対象物２を懸垂支持可能な支持部材５と、固定部３に固定される固定部材６とを備えて構成されている。
さらに、固定部材６と支持部材５との間に付勢手段であるスプリング７を備えるとともに、支持部材５に設定される軸Ｘ周りに揺動可能に支持され、固定部材６と支持部材５との間において、固定部材６に対する支持部材５の位置を選択決定する操作レバー４が備えられている。これら、支持部材５、固定部材６、スプリング７及び操作レバー４は、固定補助治具１の本体側を構成する部材であり、この本体側に対して、本願における位置決め手段をなす位置決め治具３ａも備えられている。
【００２０】
図１から判明するように、固定部材６は、固定部としての固定ブラケット３の上面に位置される底板６ａと、その底板６ａから上下方向に延びる接続軸６ｂと、この接続軸６ｂの天面に位置される天板６ｃとを備えて構成されている。さらに、前記位置決め治具３ａは、両エルボ１４ｂ、１４ｅ間に固定ブラケット３の上に載置するようにして使用できるように構成されている。図１（ロ）に破線で示すように、位置決め治具３ａの左右方向中央部位には、固定部材固定用の突起３ｂが設けられており、底板６ａと接続軸６ｂの中心に、この突起３ｂに対する係合穴６ｄが設けられており、固定ブラケット３の左右方向（水平方向）及び前後方向（水平方向）の中央に、固定部材６を配設可能に構成されている。
【００２１】
前記支持部材５は、肉厚角柱状の支持部材本体５ａと、ガスメータ２を懸垂支持するためのフック５ｂとから構成されている。前記支持部材本体５ａは、所定の上下方向高さを備えた肉厚の部材であり、その中央に前記接続軸６ｂが挿通される孔５ｃを備えている。前記フック５ｂは、この支持部材本体５ａの底から下方に伸びてメータ２を懸垂支持するように構成される。
使用に際しては、ガスメータ２の上面に吊下げ治具８を装着し、その吊下げ治具８にフック５ｂを掛けて、メータ２を、この支持部材５により支持する。
【００２２】
さて、図１からの判明するように、支持部材本体５ａと固定部材６の底板６ａとの間には、付勢手段としてのスプリング７が備えられている。このスプリング７は、支持部材本体５ａを天板６ｃ側へ付勢する圧縮形態で使用される。
【００２３】
本願において選択機構として働く操作レバー４は、前記支持部材本体５ａに備えられる左右軸Ｘ回りに揺動自在に設けられる。
操作レバー４は、作業者によって握って操作される握り部４ａと、基端側に設けられ、左右軸Ｘに揺動自在に支持される操作レバー本体４ｂとを備えている。
この操作レバー本体４ｂは、図1（ロ）の紙面表裏方向に設定される揺動軸Ｘに対して直交する上下・左右方向において、同図に示す第１姿勢で上下方向に長く、左右方向に短い形状に構成されている。この姿勢に操作レバー４が保持されると、天板６ｃに対して揺動軸９を押し下げた姿勢で安定し、支持部材５を固定部材６に対して自由相対位置である、押し下げ位置に位置保持する。そこで、操作レバー本体４ｂの上端面４ｄには、固定部材６の天板６ｃの下面と平面を成して当接するための水平な姿勢固定用上側端面とされている。
この時、先に説明したスプリング７は、その限度まで圧縮された状態となる。
【００２４】
さて、操作レバー４が自由相対位置から固定相対位置に操作された状態を示したのが、図２である。この状態では、操作レバー４は、その第２姿勢とされ、スプリング７が天板６ｃに対して揺動軸９を押し上げた姿勢となる。この時、メータ２は、その固定位置に位置される。従って、操作レバー４が第２姿勢を取る場合にあっても、本願に係る固定補助治具１は安定である。
以上説明してきたことから判明するように、本願にあっては、操作レバー４とスプリング７により移動調整手段が構成されており、操作レバー４が選択機構を成す。
【００２５】
以下、本願に係る固定補助治具１の使用状態に関して、図１、２を参照しながら説明する。
１  固定補助治具１を固定ブラケット３上に載置する。この時、載置作業は、位置決め治具３ａの配設、本体側の配設の順に進める。位置決め治具３ａに設けられている突起３ｂと、係合穴６ｄとを利用して、固定補助治具１の本体側を固定ブラケット３の中央である適切な位置に配置する。
この状態においては、操作レバー４は第１姿勢を取るものとし、支持部材５は固定部材６に対して自由相対位置を取るものとする。
２  固定補助治具１のフック５ｂにガスメータ２を引っ掛ける。
この状態で、ガスメータ２はその自由位置に保持される。この時、ユニオン１４０の掃除、ユニオンパッキン１４２の取付若しくは交換等の作業を両手で行うことができる。
３  上記のような準備を終了した後、固定補助治具１の操作レバー４を、第１姿勢から第２姿勢に操作する。この操作に従って、支持部材５は、その自由相対位置から固定相対位置に上昇される。この時、スプリング７の付勢力が働き、操作を軽く容易に行うことができる。
この操作の結果、ガスメータ２は図２に示す固定位置に位置されることとなる。
４  ガスメータ２が固定補助治具１により位置保持されている状態で、ユニオンナット１４１を作業者は操作し、締付け操作を完了する。
結果、ガスメータ２を一対設けられている立管に、固定接続することができる。即ち、供給配管系統１４における、供給側配管系統１４ａ、１４ｂ、１４ｃの端部に位置される管部材１４ｃにガスメータ２の流入口２ａを、ガスメータ２の流出口２ｂを排出側配管系統１４ｅ，ｆの端部に位置される管部材１４ｄに接続することで、作業を良好に完了することができる。
〔別実施形態〕
（１）
上記の実施の形態にあっては、固定部材に対して支持部材を付勢手段としてのスプリングで付勢する構成を採用し、操作レバーの姿勢変更に伴って、支持対象物を、その自由位置から固定位置へ移動する構成を示した。
しかしながら、支持部材の固定部材に対する相対位置決めに関しては、図３に示すようなさらに簡便な構成も採用できる。
即ち、この例にあっては、固定部材６は底板３０と、この底板３０から立設されるねじ軸３１とを有して構成されている。一方、支持部材５は、フックとして機能する短冊状の板材をコの字状に成形し、先端にひっかけ部３３を形成したフック本体３４と、前記ねじ軸３１に螺合する雌ねじ部３５を備えた操作具３６とから構成する。このようにしておくと、メータ２をひっかけ部３３にひっかけた状態で、操作具３６を回動操作することで、メータ２をその自由位置から固定位置へ引き上げ操作することができる。
そこで、本願にあっては、支持対象物が支持部材に懸垂支持された懸垂支持状態で、支持対象物をその自由位置から固定位置へ調整移動させる手段で、支持部材と固定部材との間に設けられる手段を移動調整手段と呼ぶ。
【００２６】
（２）
上記実施の形態においては、燃料ガスである都市ガスが流通する供給配管系統において、ガスメータをユニオンにより連結する場合に、本願に係る固定補助治具を使用する例を示したが、例えば、半導体製造装置において、その装置内に形成される処理室内に、所定のガスを挿入する前工程に備えられるフィルター装置の交換用に、本願に係る固定補助治具を使用することもできる。
この種のフィルター装置は、その上面に処理対象のガスが流入する流入口及び、流出すする流出口を備え、これら流入口及び流出口に利用してユニオン式で、連通固定して使用されるためである。
（３）
上記の実施の形態においては、位置決め治具３ａを別途用意しておき、これを固定ブラケット３上に載せて治具本体側の位置決めを行ったが、固定ブラケット３の所定位置に突起を設けて、位置決め手段を構成してもよい。
【産業上の利用可能性】
【００２７】
例えば、ガスメータを一対の立管間に連接する場合に、その作業性が良好で、一対のユニオン間での調整も容易に行うことができる固定補助用治具を得ることができ、ガスメータの取付け・交換が正確且つ迅速に行えるようになった。
【図面の簡単な説明】
【００２８】
【図１】使用状態にある本願に係る固定補助治具の第１姿勢の状態を示す図
【図２】支持対象物が固定位置にある場合の、固定補助治具の状態を示す図
【図３】本願に係る固定補助治具の別実施の形態を示す図
【図４】ガスメータの最終取付け状態を示す図
【図５】ユニオン式のユニオンの分解説明図
【図６】ガスメータを固定ブラケットに対して上下両側から支持する構成の説明図
【符号の説明】
【００２９】
１      固定補助治具
２      ガスメータ
２ａ    流入口
２ｂ    流出口
３      固定ブラケット
４      操作レバー
５      支持部材
６      固定部材
７      スプリング（付勢手段）
９      揺動軸
１０    ユニオン
１４    供給配管系統
【図１】
2007056950.tif 000003
【図２】
2007056950.tif 000004
【図３】
2007056950.tif 000005
【図４】
2007056950.tif 000006
【図５】
2007056950.tif 000007
【図６】
2007056950.tif 000008